(57)【要約】  データフレームのフレームロスを検出するフレームロス検出部１４と、光入力断検出部１３による光信号の入力断が未検出の状態で、フレームロス検出部１４によりフレームロスが検出された場合、フレームロスが未検出の状態になるまでの間、データフレームの光信号を送信する際のビットレートより低速なビットレートで、分散量調整要求パターンの光信号を対向装置に送信する分散量調整要求送信手段と、対向装置から送信された分散量調整要求パターンの光信号を受信する分散量調整要求受信手段とを設け、分散量調整要求受信手段により特定パターンの光信号が受信された場合、分散補償器２１が対向装置との間の伝送路の分散量を調整する。
2012085979.tif 000002
【特許請求の範囲】
【請求項１】
対向装置から送信される光信号を受信する光信号受信手段と、上記光信号受信手段により受信される光信号の入力断を検出する光入力断検出手段と、上記光信号受信手段により受信された光信号が示すデータフレームのフレームロスを検出するフレームロス検出手段と、上記光入力断検出手段による光信号の入力断が未検出の状態で、上記フレームロス検出手段によりフレームロスが検出された場合、上記フレームロスが未検出の状態になるまでの間、データフレームの光信号を送信する際のビットレートより低速なビットレートで、分散量の調整要求を示す特定パターンの光信号を上記対向装置に送信する分散量調整要求送信手段と、上記対向装置から送信された分散量の調整要求を示す特定パターンの光信号を受信する分散量調整要求受信手段と、上記分散量調整要求受信手段により特定パターンの光信号が受信された場合、上記対向装置との間の伝送路の分散量を調整する分散量調整手段とを備えた光通信装置。
【請求項２】
分散量調整手段は、分散量調整要求受信手段により特定パターンの光信号が受信されると、伝送路における分散量の粗調整を開始し、上記特定パターンの光信号が受信されなくなると、上記伝送路における分散量の微調整を行って、上記対向装置のエラーレートの最小化を図ることを特徴とする請求項１記載の光通信装置。
【請求項３】
分散量調整要求送信手段は、データフレームの光信号を送信する際のビットレートの４分の１以下のビットレートで、分散量の調整要求を示す特定パターンの光信号を送信することを特徴とする請求項１記載の光通信装置。
【請求項４】
分散量調整要求送信手段は、分散量の調整要求を示す特定パターンにしたがって、送信する光信号の信号レベルを調整することを特徴とする請求項１記載の光通信装置。
【請求項５】
対向装置から送信される光信号を受信する光信号受信手段と、上記光信号受信手段により受信される光信号の入力断を検出する光入力断検出手段と、上記光信号受信手段により受信された光信号が示すデータフレームのフレームロスを検出するフレームロス検出手段と、上記光入力断検出手段による光信号の入力断が未検出の状態で、上記フレームロス検出手段によりフレームロスが検出された場合、データフレームの光信号を送信する際のビットレートより低速なビットレートで、分散量の調整要求を示す特定パターンの光信号を上記対向装置に送信する分散量調整要求送信手段と、上記対向装置から送信された分散量の調整要求を示す特定パターンの光信号を受信する分散量調整要求受信手段と、上記分散量調整要求受信手段により特定パターンの光信号が受信された場合、上記対向装置との間の伝送路の分散量を調整する分散量調整手段と、上記分散量調整手段により伝送路の分散量が調整された後、分散量の調整完了を示す特定パターンの光信号を上記対向装置に送信する調整完了通知手段とを備え、
上記分散量調整要求送信手段は、上記対向装置から送信された分散量の調整完了を示す特定パターンの光信号を受信した段階で、上記フレームロスの検出が継続している場合、再度、分散量の調整要求を示す特定パターンの光信号を上記対向装置に送信することを特徴とする光通信装置。
【発明の詳細な説明】
【技術分野】
【０００１】
この発明は、伝送路の分散量を調整して、対向装置のエラーレートの最小化を図る光通信装置に関するものである。
【背景技術】
【０００２】
近年、ネットワーク通信速度の高速化に伴って、光ファイバ通信システムが急速に普及してきている。
一般的な光ファイバの特性として、光の波長によって伝搬速度が異なり、短波長の方が、伝搬速度が速い傾向にある。
このため、長波長になるほど、伝搬速度が遅くなり、波長の僅かな差によって、受信装置での受信時間が変化する。
この光の波長による遅延差（波長分散）によって波形劣化が発生し、ビットエラー特性が劣化する。【０００３】
通信速度が比較的低速な光伝送システムにおいては、波長分散における波形劣化の影響が小さいが、ビットレートが高くなるほど、分散耐力が低下するため、近年の高速光伝送システムでは、波長分散における波形劣化の影響が増大している。
特に４０Ｇｂ／ｓ以上の通信速度では、分散耐力が低く、温度変化などによる僅かな分散量の変化によっても、伝送性能の劣化が発生してしまうため、高精度な分散補償技術が必要になってきている。【０００４】
分散補償方法として、伝送路の分散量を打ち消すように、逆符号の同一分散量を有する分散補償ファイバを使用する方法や、伝送路の分散量を調整することができる可変分散補償器を使用する方法などがある。
４０Ｇｂ／ｓ以上の高速通信では、高精度な分散補償が必要であることから、可変分散補償器を使用することが一般的である。【０００５】
また、分散補償器を使用する箇所としては、受信装置側と送信側装置の双方が考えられる。
受信装置側で分散補償器を使用する場合、劣化している受信波形に逆符号の分散量を与えることで、受信信号を復号するようにする。
一方、送信装置側で分散補償器を使用する場合、伝送路の残留分散量を打ち消すように、逆符号の分散量を事前に付加することで、受信装置側が劣化してない信号を受信することができるようにする（以下、この方式を「分散予等化方式」と称する）。【０００６】
分散予等化方式を使用する光伝送システムでは、図６に示すように、送信側の光通信装置Ａに搭載されている分散補償器が伝送路の分散量を調整することになるが、その分散量を最適な値に設定するには、受信側の光通信装置Ｂに搭載されている自装置エラーレート監視部がエラーレート（信号誤り率）を監視し、その監視結果を送信側の光通信装置Ａが収集する必要がある（例えば、特許文献１を参照）。
【先行技術文献】
【特許文献】
【０００７】
【特許文献１】特開２０１０−３４８３０号公報（例えば、段落番号［０００９］、図１）
【発明の概要】
【発明が解決しようとする課題】
【０００８】
従来の光通信装置は以上のように構成されているので、送信側の光通信装置Ａが、受信側の光通信装置Ｂにおけるエラーレートを収集することができれば、分散補償器が伝送路の分散量を適正に調整することができる。しかし、光通信装置Ａ及び光通信装置Ｂにおけるデータ送受信用のインタフェースα間に伝送路が接続されていても、その伝送路の分散量が最適に設定されていない状況下では、主信号導通が確立されず、送信側の光通信装置Ａが、受信側の光通信装置Ｂにおけるエラーレートを収集することができない。このため、データ送受信用のインタフェースαの他に別のインタフェースβを搭載し、別のインタフェースβを用いて、エラーレートを収集する必要があり、装置構成が複雑なる課題があった。
また、別のインタフェースβに故障等が発生すると、伝送路の分散量を調整することができなくなる課題があった。【０００９】
この発明は上記のような課題を解決するためになされたもので、データ送受信用のインタフェースの他に別のインタフェースを搭載することなく、伝送路の分散量を調整して、エラーレートの最小化を図ることができる光通信装置を得ることを目的とする。
【課題を解決するための手段】
【００１０】
この発明に係る光通信装置は、対向装置から送信される光信号を受信する光信号受信手段と、光信号受信手段により受信される光信号の入力断を検出する光入力断検出手段と、光信号受信手段により受信された光信号が示すデータフレームのフレームロスを検出するフレームロス検出手段と、光入力断検出手段による光信号の入力断が未検出の状態で、フレームロス検出手段によりフレームロスが検出された場合、そのフレームロスが未検出の状態になるまでの間、データフレームの光信号を送信する際のビットレートより低速なビットレートで、分散量の調整要求を示す特定パターンの光信号を対向装置に送信する分散量調整要求送信手段と、対向装置から送信された分散量の調整要求を示す特定パターンの光信号を受信する分散量調整要求受信手段とを設け、分散量調整要求受信手段により特定パターンの光信号が受信された場合、分散量調整手段が、対向装置との間の伝送路の分散量を調整するようにしたものである。
【発明の効果】
【００１１】
この発明によれば、対向装置から送信される光信号を受信する光信号受信手段と、光信号受信手段により受信される光信号の入力断を検出する光入力断検出手段と、光信号受信手段により受信された光信号が示すデータフレームのフレームロスを検出するフレームロス検出手段と、光入力断検出手段による光信号の入力断が未検出の状態で、フレームロス検出手段によりフレームロスが検出された場合、そのフレームロスが未検出の状態になるまでの間、データフレームの光信号を送信する際のビットレートより低速なビットレートで、分散量の調整要求を示す特定パターンの光信号を対向装置に送信する分散量調整要求送信手段と、対向装置から送信された分散量の調整要求を示す特定パターンの光信号を受信する分散量調整要求受信手段とを設け、分散量調整要求受信手段により特定パターンの光信号が受信された場合、分散量調整手段が、対向装置との間の伝送路の分散量を調整するように構成したので、データ送受信用のインタフェースの他に別のインタフェースを搭載することなく、伝送路の分散量を調整して、エラーレートの最小化を図ることができる効果がある。
【図面の簡単な説明】
【００１２】
【図１】この発明の実施の形態１による光通信装置を示す構成図である。
【図２】分散量調整要求パターンの一例などを示す説明図である。
【図３】この発明の実施の形態２による光通信装置を示す構成図である。
【図４】分散量調整要求パターンの一例を示す説明図である。
【図５】この発明の実施の形態３による光通信装置を示す構成図である。
【図６】特許文献１に開示されている光通信装置を示す構成図である。
【発明を実施するための形態】
【００１３】
実施の形態１．
図１はこの発明の実施の形態１による光通信装置を示す構成図である。
図１の例では、同一構成の光通信装置Ａと光通信装置Ｂが伝送路（光ファイバ）１，２を介して接続されている。
また、光通信装置Ａと光通信装置Ｂは、データ送受信用のインタフェースを搭載しているが、伝送路の分散量を調整するための専用のインタフェースは搭載していない。
【００１４】
図１において、Ｏ／Ｅ変換部１１は対向装置から送信される光信号を受信して、その光信号を電気信号に変換する処理を実施する。なお、Ｏ／Ｅ変換部１１は光信号受信手段を構成している。
フレーム終端部１２はＯ／Ｅ変換部１１から出力された電気信号からデータフレーム（対向装置のフレーム生成部１９により生成されたデータフレーム）を終端する。
【００１５】
光入力断検出部１３はＯ／Ｅ変換部１１から出力される電気信号を監視して、Ｏ／Ｅ変換部１１により受信される光信号の入力断を検出する処理を実施する。
また、光入力断検出部１３はＯ／Ｅ変換部１１から出力される電気信号を監視して、対向装置から送信される分散量調整要求パターンに対応する光信号の入力断を検出すると、分散量調整要求パターンの検出信号を分散補償器２１に出力する処理を実施する。
なお、Ｏ／Ｅ変換部１１及び光入力断検出部１３から光入力断検出手段と分散量調整要求受信手段が構成されている。
フレームロス検出部１４はフレーム終端部１２により終端されたデータフレームを監視して、データフレームのフレームロスを検出する処理を実施する。
なお、フレーム終端部１２及びフレームロス検出部１４からフレームロス検出手段が構成されている。
【００１６】
パターン生成部１５は光入力断検出部１３による光信号の入力断が未検出の状態で、フレームロス検出部１４によりフレームロスが検出された場合、分散量調整要求パターンを生成し、そのフレームロスが未検出の状態になるまでの間、その分散量調整要求パターンをＥ／Ｏ変換部１６に繰り返し出力する処理を実施する。
ただし、パターン生成部１５はデータフレームの光信号を送信する際のビットレートより低速なビットレートで、分散量調整要求パターンの光信号を送信（例えば、データフレームの伝送速度の１／４以下の伝送速度で送信）するため、数十〜数百Ｍｂ／ｓ程度の周波数でＥ／Ｏ変換部１６が光のＯＮ／ＯＦＦを行う分散量調整要求パターンを生成する。
【００１７】
Ｅ／Ｏ変換部１６はフレーム生成部１９により生成されたデータフレームを示す電気信号を受けると、その電気信号を光信号に変換して、その光信号を伝送路１（または、伝送路２）に送信し、パターン生成部１５から分散量調整要求パターンを受けると、その分散量調整要求パターンにしたがって光のＯＮ／ＯＦＦを行うことで、その分散量調整要求パターンに対応する光信号を伝送路１（または、伝送路２）に送信する処理を実施している。
なお、パターン生成部１５及びＥ／Ｏ変換部１６から分散量調整要求送信手段が構成されている。
【００１８】
自装置エラーレート監視部１７はフレーム終端部１２により終端されたデータフレームを監視して、自装置のエラーレートを検出する処理を実施する。
エラーレート挿入制御部１８は自装置エラーレート監視部１７により検出された自装置のエラーレートをデータフレーム内のオーバーヘッド領域（ユーザに開放されている領域）に挿入する指示をフレームレート生成部１９に出力する処理を実施する。
フレームレート生成部１９は対向装置側に送信するデータを含むデータフレームを生成するとともに、エラーレート挿入制御部１８の指示の下、自装置のエラーレートをデータフレーム内のオーバーヘッド領域に挿入する処理を実施する。
対向装置エラーレート監視部２０はフレーム終端部１２により終端されたデータフレーム内のオーバーヘッド領域から対向装置のエラーレートを取得する処理を実施する。
【００１９】
分散補償器２１は光入力断検出部１３から分散量調整要求パターンの検出信号を受けると、伝送路１（または、伝送路２）に与える分散値を変更する（例えば、分散可能範囲内で、その最小値から最大値に至るまで、分散値を徐々に大きくしていく変更を行う）ことで、伝送路１（または、伝送路２）の分散量を調整する処理を実施する。
即ち、分散補償器２１は光入力断検出部１３から分散量調整要求パターンの検出信号が出力されると、伝送路１（または、伝送路２）における分散量の粗調整を開始し、光入力断検出部１３から分散量調整要求パターンの検出信号が出力されなくなると、対向装置エラーレート監視部２０により取得された対向装置のエラーレートが最小になるように、伝送路１（または、伝送路２）における分散量の微調整を行う。
なお、対向装置エラーレート監視部２０及び分散補償器２１から分散量調整手段が構成されている。
【００２０】
図１の例では、光通信装置の構成要素であるＯ／Ｅ変換部１１、フレーム終端部１２、  光入力断検出部１３、フレームロス検出部１４、パターン生成部１５、Ｅ／Ｏ変換部１６、自装置エラーレート監視部１７、エラーレート挿入制御部１８、フレームレート生成部１９、対向装置エラーレート監視部２０及び分散補償器２１のそれぞれが専用のハードウェア（例えば、ＣＰＵを実装している半導体集積回路、あるいは、ワンチップマイコンなど）で構成されているものを想定しているが、光通信装置がコンピュータなどで構成される場合には、Ｏ／Ｅ変換部１１、フレーム終端部１２、  光入力断検出部１３、フレームロス検出部１４、パターン生成部１５、Ｅ／Ｏ変換部１６、自装置エラーレート監視部１７、エラーレート挿入制御部１８、フレームレート生成部１９、対向装置エラーレート監視部２０及び分散補償器２１の処理内容を記述しているプログラムの全部又は一部をコンピュータのメモリに格納し、当該コンピュータのＣＰＵが当該メモリに格納されているプログラムを実行するようにしてもよい。
【００２１】
次に動作について説明する。
主信号のビットレートが高速になるほど、波長分散の影響を大きく受けて、伝送性能の劣化が大きくなり、主信号の導通が困難になる。
一方、ビットレートが低速である場合には、波長分散の影響が小さくなるため、伝送性能の劣化が小さくなり、ビットレートが高速である場合と比べて、主信号の導通が容易になる。
そこで、この実施の形態１の光通信装置Ａ，Ｂでは、波長分散の影響をほとんど受けないようにするために、数十〜数百Ｍｂ／ｓ程度の周波数でＥ／Ｏ変換部１６が光のＯＮ／ＯＦＦを行う分散量調整要求パターンを生成して、その分散量調整要求パターンを低速なビットレートで対向装置である光通信装置Ｂ，Ａに送信するようにする。
以下、光通信装置Ａ，Ｂの処理内容を具体的に説明する。
【００２２】
光通信装置Ａと光通信装置Ｂの間は、伝送路１，２で接続されており、伝送路１の分散量は、光通信装置Ａの分散補償器２１が調整し、伝送路２の分散量は、光通信装置Ｂの分散補償器２１が調整する。
光通信装置Ａと光通信装置Ｂの間の伝送路１，２が接続されていない状態では、光通信装置Ａ，ＢのＯ／Ｅ変換部１１が対向装置である光通信装置Ｂ，Ａから送信される光信号を受信することができないため、光通信装置Ａ，Ｂの光入力断検出部１３が、Ｏ／Ｅ変換部１１により受信される光信号の入力断を検出する。
その後、光通信装置Ａと光通信装置Ｂの間に伝送路１，２が接続されると、光通信装置Ａ，Ｂの光入力断検出部１３による光信号の入力断が未検出の状態になる。
【００２３】
光通信装置Ａの分散補償器２１による伝送路１の分散量の調整方法と、光通信装置Ｂの分散補償器２１による伝送路２の分散量の調整方法は同様であるため、以下、伝送路１の分散量の調整方法を説明する。
光通信装置Ａのフレームレート生成部１９は、光通信装置Ｂ側に送信するデータを含むデータフレームを生成し、そのデータフレームを分散補償器２１に出力する。
光通信装置Ａの分散補償器２１は、フレームレート生成部１９からデータフレームを受けると、そのデータフレームに対して所定の分散値を付加する。
【００２４】
光通信装置ＡのＥ／Ｏ変換部１６は、分散補償器２１から所定の分散値が付加されているデータフレームを受けると、そのデータフレームを電気信号から光信号に変換し、その光信号を伝送路１に出力する。
これにより、光通信装置Ａから出力された光信号は、伝送路１を伝搬して、光通信装置Ｂに到達する。
【００２５】
光通信装置ＢのＯ／Ｅ変換部１１は、光通信装置Ａから送信された光信号を受信して、その光信号を電気信号に変換する。
光通信装置Ｂのフレーム終端部１２は、Ｏ／Ｅ変換部１１が光信号を電気信号に変換すると、その電気信号からデータフレーム（光通信装置Ａのフレーム生成部１９により生成されたデータフレーム）を終端する。
【００２６】
光通信装置Ｂのフレームロス検出部１４は、フレーム終端部１２により終端されたデータフレームを監視して、データフレームのフレームロスの検出処理を実施するが、光通信装置Ａの分散補償器２１が付加する分散値が適正な値ではなく、光通信装置Ａと光通信装置Ｂの間で、導通が確立していない状態では、そのデータフレームのフレームロスを検出する。
この実施の形態１では、説明の便宜上、導通が確立しておらず、フレームロス検出部１４がデータフレームのフレームロスを検出するものとして、以下の説明を行う。
なお、フレームロスを検出する処理自体は、公知の技術であるため、詳細な説明を省略する。
【００２７】
光通信装置Ｂのパターン生成部１５は、光入力断検出部１３による光信号の入力断が未検出の状態（光通信装置Ａと光通信装置Ｂの間に伝送路２が接続されている状態）で、フレームロス検出部１４によりフレームロスが検出された場合、分散量調整要求パターンを生成し、その分散量調整要求パターンをＥ／Ｏ変換部１６に出力する。
ただし、パターン生成部１５は、データフレームの光信号を送信する際のビットレートより低速なビットレートで、分散量調整要求パターンの光信号を送信（例えば、データフレームの伝送速度の１／４以下の伝送速度で送信）するため、数十〜数百Ｍｂ／ｓ程度の周波数でＥ／Ｏ変換部１６が光のＯＮ／ＯＦＦを行う分散量調整要求パターンを生成する。図２（ａ）は分散量調整要求パターンの一例を示している。
なお、パターン生成部１５は、フレームロス検出部１４がフレームロスを検出しなくなるまで、その分散量調整要求パターンをＥ／Ｏ変換部１６に繰り返し出力する。
【００２８】
光通信装置ＢのＥ／Ｏ変換部１６は、パターン生成部１５から分散量調整要求パターンを受けると、その分散量調整要求パターンにしたがって光のＯＮ／ＯＦＦを行うことで、その分散量調整要求パターンに対応する光信号を伝送路２に出力する。
即ち、Ｅ／Ｏ変換部１６は、パターン生成部１５から出力された分散量調整要求パターンにしたがって、図２（ａ）に示すような強制光出力停止制御（ＳＨＵＴＤＯＷＮ制御）を実施することで、光のＯＮ／ＯＦＦを実行する。
これにより、Ｅ／Ｏ変換部１６から伝送路２に出力される光信号の信号レベルは、図２（ｂ）のようになる。
Ｅ／Ｏ変換部１６から伝送路２に出力される光信号は、低速な周波数で光のＯＮ／ＯＦＦが行われているので、波長分散の影響をほとんど受けることなく、対向装置である光通信装置Ａに伝送される。
【００２９】
光通信装置ＡのＯ／Ｅ変換部１１は、光通信装置Ｂから送信された光信号を受信して、その光信号を電気信号に変換する。
光通信装置Ａの光入力断検出部１３は、Ｏ／Ｅ変換部１１から出力される電気信号を監視して、光通信装置Ｂから送信される分散量調整要求パターンに対応する光信号の入力断（図２（ｃ）を参照）を検出すると、分散量調整要求パターンの検出信号を分散補償器２１に出力する。
【００３０】
光通信装置Ａの分散補償器２１は、光入力断検出部１３から分散量調整要求パターンの検出信号を受けると、伝送路１における分散量の粗調整を開始して、伝送路１に与える分散値を変更する。
例えば、分散可能範囲（例えば、２００〜３００ｐｓ／ｎｍ）内で、その最小値から最大値に至るまで、伝送路１に与える分散値を徐々に大きくしていく変更を行うことで、伝送路１の分散量を調整する。
ここでは、分散補償器２１が、光入力断検出部１３から分散量調整要求パターンの検出信号を１回受けると、分散量の粗調整を開始する例を示しているが、光入力断検出部１３から分散量調整要求パターンの検出信号を複数回受けることで、分散量の粗調整を開始するようにしてもよい。
【００３１】
光通信装置Ｂのフレームロス検出部１４は、データフレームのフレームロスの検出処理を継続しており、光通信装置Ａの分散補償器２１が分散量の粗調整を開始して、その分散量が概ね適正な値になることで、光通信装置Ａと光通信装置Ｂ間の導通が確立すると、フレームロスの検出状況が“未検出”に変化する。
光通信装置Ｂのパターン生成部１５は、上述したように、分散量調整要求パターンをＥ／Ｏ変換部１６に繰り返し出力しているが、フレームロス検出部１４によるフレームロスの検出状況が“未検出”に変化すると、Ｅ／Ｏ変換部１６に対する分散量調整要求パターンの出力を停止する。
光通信装置ＢのＥ／Ｏ変換部１６は、パターン生成部１５から分散量調整要求パターンが出力されなくなると、出力レベルが発光状態に変化する。
【００３２】
光通信装置Ａの光入力断検出部１３は、Ｏ／Ｅ変換部１１から出力される電気信号の監視を継続しており、光通信装置ＢのＥ／Ｏ変換部１６の出力レベルが発光状態に変化すると、分散量調整要求パターンに対応する光信号の入力断の検出状況が“未検出”に変化する。
光通信装置Ａの分散補償器２１は、光入力断検出部１３における検出状況が“未検出”に変化することで、光入力断検出部１３から分散量調整要求パターンの検出信号を受けなくなると、分散量の粗調整を終了する。
ただし、分散量の粗調整を終了しても、伝送路１の分散量が最適に調整されたわけではないので、分散量の微調整を開始する。
【００３３】
以下、伝送路１における分散量の微調整に関する処理内容を具体的に説明する。
光通信装置Ａと光通信装置Ｂの間で導通が確立すると、光通信装置Ａのフレーム生成部１９により生成されたデータフレームが光通信装置Ｂに伝送されて、光通信装置Ｂのフレーム終端部１２で当該データフレームが終端される。
一方、光通信装置Ｂのフレーム生成部１９により生成されたデータフレームが光通信装置Ａに伝送されて、光通信装置Ａのフレーム終端部１２で当該データフレームが終端される。
光通信装置Ｂの自装置エラーレート監視部１７は、フレームロス検出部１４によるフレームロスの検出状況が“未検出”に変化すると、フレーム終端部１２により終端されたデータフレームを監視して、自装置のエラーレートを検出する。
【００３４】
光通信装置Ｂのエラーレート挿入制御部１８は、自装置エラーレート監視部１７が自装置のエラーレートを検出すると、そのエラーレートをデータフレーム内のオーバーヘッド領域（ユーザに開放されている領域）に挿入する指示をフレームレート生成部１９に出力する。
光通信装置Ｂのフレームレート生成部１９は、エラーレート挿入制御部１８の指示の下、自装置のエラーレートをデータフレーム内のオーバーヘッド領域に挿入し、エラーレート挿入後のデータフレームを分散補償器２１に出力する。
光通信装置Ｂの分散補償器２１は、フレームレート生成部１９からデータフレームを受けると、そのデータフレームに対して所定の分散値（例えば、粗調整が終了した時点であれば、粗調整された分散値、微調整中であれば、現時点の分散値）を付加する。
【００３５】
光通信装置ＢのＥ／Ｏ変換部１６は、分散補償器２１から分散値が付加されているデータフレームを受けると、そのデータフレームを電気信号から光信号に変換し、その光信号を伝送路２に出力する。
これにより、光通信装置Ｂから出力された光信号は、伝送路２を伝搬して、光通信装置Ａに到達する。
【００３６】
光通信装置ＡのＯ／Ｅ変換部１１は、光通信装置Ｂから送信された光信号を受信して、その光信号を電気信号に変換する。
光通信装置Ａのフレーム終端部１２は、Ｏ／Ｅ変換部１１が光信号を電気信号に変換すると、その電気信号からデータフレーム（光通信装置Ｂのフレーム生成部１９により生成されたデータフレーム）を終端する。
【００３７】
光通信装置Ａの対向装置エラーレート監視部２０は、フレーム終端部１２がデータフレームを終端すると、そのデータフレーム内のオーバーヘッド領域から光通信装置Ｂのエラーレートを取得する。
光通信装置Ａの分散補償器２１は、対向装置エラーレート監視部２０が光通信装置Ｂのエラーレートを取得すると、そのエラーレートが最小になるように、フレームレート生成部１９から出力されたデータフレームに付加する分散値を微調整することで、伝送路１における分散量の最適化を図る。
【００３８】
この実施の形態１では、光通信装置Ａが伝送路１の分散量を調整するものを示したが、伝送路２の分散量を調整する場合、光通信装置Ａと光通信装置Ｂの処理内容が逆になるだけで同じである。
光通信装置Ａ，Ｂが伝送路１，２の分散量を調整することで、エラーレートの最小化を図ることができる。
【００３９】
以上で明らかなように、この実施の形態１によれば、対向装置から送信される光信号を受信するＯ／Ｅ変換部１１と、Ｏ／Ｅ変換部１１により受信される光信号の入力断を検出する光入力断検出部１３と、Ｏ／Ｅ変換部１１により受信された光信号が示すデータフレームのフレームロスを検出するフレームロス検出部１４と、光入力断検出部１３による光信号の入力断が未検出の状態で、フレームロス検出部１４によりフレームロスが検出された場合、そのフレームロスが未検出の状態になるまでの間、データフレームの光信号を送信する際のビットレートより低速なビットレートで、分散量調整要求パターンの光信号を対向装置に送信する分散量調整要求送信手段と、対向装置から送信された分散量調整要求パターンの光信号を受信する分散量調整要求受信手段とを設け、分散量調整要求受信手段により特定パターンの光信号が受信された場合、分散補償器２１が、対向装置との間の伝送路の分散量を調整するように構成したので、データ送受信用のインタフェースの他に別のインタフェースを搭載することなく、伝送路の分散量を調整して、エラーレートの最小化を図ることができる効果を奏する。
【００４０】
実施の形態２．
上記実施の形態１では、Ｅ／Ｏ変換部１６が、パターン生成部１５から出力された分散量調整要求パターンにしたがって、強制光出力停止制御（ＳＨＵＴＤＯＷＮ制御）を実施することで、光のＯＮ／ＯＦＦを実行するものを示したが、分散量調整要求パターンにしたがって、送信する光信号の信号レベルを調整するようにしてもよい。
【００４１】
図３はこの発明の実施の形態２による光通信装置を示す構成図であり、図において、図１と同一符号は同一または相当部分を示すので説明を省略する。
パターン生成部３１はレベルモニタ３３による光信号の入力断が未検出の状態で、フレームロス検出部１４によりフレームロスが検出された場合、分散量調整要求パターンを生成し、そのフレームロスが未検出の状態になるまでの間、その分散量調整要求パターンにしたがって、光減衰器３２から出力される光信号の減衰量を調整する処理を実施する。
ただし、パターン生成部３１はデータフレームの光信号を送信する際のビットレートより低速なビットレートで、分散量調整要求パターンの光信号を送信（例えば、データフレームの伝送速度の１／４以下の伝送速度で送信）するため、数十〜数百Ｍｂ／ｓ程度の周波数で信号レベルが変化する分散量調整要求パターンを生成する。
【００４２】
光減衰器３２はＥ／Ｏ変換部１６から出力された光信号については減衰せずに、そのまま伝送路１（または、伝送路２）に出力する一方、パターン生成部３１の指示の下で、伝送路１（または、伝送路２）に出力する光信号の減衰量を調整する処理を実施する。
なお、パターン生成部３１及び光減衰器３２から分散量調整要求送信手段が構成されている。
【００４３】
レベルモニタ３３は伝送路１（または、伝送路２）の信号レベルを監視して、光信号の入力断を検出する処理を実施する。
また、レベルモニタ３３は伝送路１（または、伝送路２）の信号レベルを監視して、対向装置から送信される分散量調整要求パターンに対応する信号レベルの変化を検出すると、分散量調整要求パターンの検出信号を分散補償器２１に出力する処理を実施する。
なお、レベルモニタ３３は光入力断検出手段及び分散量調整要求受信手段を構成している。
【００４４】
図３の例では、光通信装置の構成要素であるＯ／Ｅ変換部１１、フレーム終端部１２、  レベルモニタ３３、フレームロス検出部１４、パターン生成部３１、光減衰器３２、Ｅ／Ｏ変換部１６、自装置エラーレート監視部１７、エラーレート挿入制御部１８、フレームレート生成部１９、対向装置エラーレート監視部２０及び分散補償器２１のそれぞれが専用のハードウェア（例えば、ＣＰＵを実装している半導体集積回路、あるいは、ワンチップマイコンなど）で構成されているものを想定しているが、光通信装置がコンピュータなどで構成される場合には、Ｏ／Ｅ変換部１１、フレーム終端部１２、  レベルモニタ３３、フレームロス検出部１４、パターン生成部３１、光減衰器３２、Ｅ／Ｏ変換部１６、自装置エラーレート監視部１７、エラーレート挿入制御部１８、フレームレート生成部１９、対向装置エラーレート監視部２０及び分散補償器２１の処理内容を記述しているプログラムの全部又は一部をコンピュータのメモリに格納し、当該コンピュータのＣＰＵが当該メモリに格納されているプログラムを実行するようにしてもよい。
【００４５】
次に動作について説明する。
ただし、パターン生成部３１、光減衰器３２及びレベルモニタ３３以外は、上記実施の形態１と同様であるため、主に、パターン生成部３１、光減衰器３２及びレベルモニタ３３の処理内容を説明する。
光通信装置Ａと光通信装置Ｂの間の伝送路１，２が接続されていない状態では、光通信装置Ａ，Ｂのレベルモニタ３３が、光信号の入力断を検出する。
その後、光通信装置Ａと光通信装置Ｂの間に伝送路１，２が接続されると、光通信装置Ａ，Ｂのレベルモニタ３３による光信号の入力断が未検出の状態になる。
【００４６】
この実施の形態２でも、伝送路１の分散量を調整する際の処理内容を説明する。
光通信装置Ｂのパターン生成部３１は、レベルモニタ３３による光信号の入力断が未検出の状態（光通信装置Ａと光通信装置Ｂの間に伝送路２が接続されている状態）で、フレームロス検出部１４によりフレームロスが検出された場合、分散量調整要求パターンを生成する。
ただし、パターン生成部３１は、データフレームの光信号を送信する際のビットレートより低速なビットレートで、分散量調整要求パターンの光信号を送信（例えば、データフレームの伝送速度の１／４以下の伝送速度で送信）するため、数十〜数百Ｍｂ／ｓ程度の周波数で信号レベルが変化する分散量調整要求パターンを生成する。図４は分散量調整要求パターンの一例を示す説明図である。
【００４７】
即ち、パターン生成部３１は、数十〜数百Ｍｂ／ｓ程度の周波数で信号レベルが変化する光信号が伝送路２に出力されるようにするため、生成した分散量調整要求パターンにしたがって、光減衰器３２から出力される光信号の減衰量を調整する。
図４の例では、信号レベルが３段階に変化する光信号（信号レベルが０［ｄＢ］、Ｂ［ｄＢ］、Ａ＋Ｂ［ｄＢ］の光信号）が伝送路２に出力される。
なお、パターン生成部３１は、図１のパターン生成部１５と同様に、フレームロス検出部１４がフレームロスを検出しなくなるまで、分散量調整要求パターンに対応する光信号が伝送路２に繰り返し出力されるように、光減衰器３２に対する減衰量の制御を継続する。
【００４８】
光通信装置Ａのレベルモニタ３３は、伝送路２の信号レベルを監視して、光通信装置Ｂから送信される分散量調整要求パターンに対応する信号レベルの変化を検出すると、分散量調整要求パターンの検出信号を分散補償器２１に出力する。
光通信装置Ａの分散補償器２１は、レベルモニタ３３から分散量調整要求パターンの検出信号を受けると、伝送路１における分散量の粗調整を開始して、伝送路１に与える分散値を変更する。
例えば、分散可能範囲（例えば、２００〜３００ｐｓ／ｎｍ）内で、その最小値から最大値に至るまで、伝送路１に与える分散値を徐々に大きくしていく変更を行うことで、伝送路１の分散量を調整する。
以下の処理内容は、上記実施の形態１と同様であるため詳細な説明は省略する。
【００４９】
以上で明らかなように、この実施の形態２によれば、分散量調整要求パターンにしたがって、送信する光信号の信号レベルを調整するように構成したので、分散量調整要求パターンにしたがって、光のＯＮ／ＯＦＦを実行する場合よりも、短い信号系列でユニークな分散量調整要求パターンを構築することができる効果を奏する。
【００５０】
実施の形態３．
図５はこの発明の実施の形態３による光通信装置を示す構成図であり、図において、図１と同一符号は同一または相当部分を示すので説明を省略する。
パターン生成部４１は光入力断検出部４３による光信号の入力断が未検出の状態で、フレームロス検出部１４によりフレームロスが検出された場合、分散量調整要求パターンを生成し、その分散量調整要求パターンをＥ／Ｏ変換部１６に出力する処理を実施する。
ただし、パターン生成部４１はデータフレームの光信号を送信する際のビットレートより低速なビットレートで、分散量調整要求パターンの光信号を送信（例えば、データフレームの伝送速度の１／４以下の伝送速度で送信）するため、数十〜数百Ｍｂ／ｓ程度の周波数でＥ／Ｏ変換部１６が光のＯＮ／ＯＦＦを行う分散量調整要求パターンを生成する。
【００５１】
また、パターン生成部４１は光入力断検出部４３により分散量の調整完了を示す特定パターン（以下、「分散量調整完了パターン」と称する）が検出された段階で、フレームロスの検出が継続している場合、再度、その分散量調整要求パターンをＥ／Ｏ変換部１６に出力する処理を実施する。分散量調整完了パターンは、分散量調整要求パターンと異なるユニークな特定パターンである。
また、パターン生成部４１は分散補償器４２が伝送路１（または、伝送路２）における分散量の粗調整を１回行うと、分散量調整完了パターンをＥ／Ｏ変換部１６に出力する処理を実施する。
なお、Ｅ／Ｏ変換部１６及びパターン生成部４１から分散量調整要求送信手段と調整完了通知手段が構成されている。
【００５２】
分散補償器４２は光入力断検出部４３から分散量調整要求パターンの検出信号を受けると、伝送路１（または、伝送路２）に与える分散値を１回だけ変更することで、伝送路１（または、伝送路２）の分散量を調整する処理を実施する。
即ち、分散補償器２１は光入力断検出部４３から分散量調整要求パターンの検出信号が出力されると、伝送路１（または、伝送路２）における分散量の粗調整を１回だけ実施し、光入力断検出部４３から分散量調整要求パターンの検出信号が出力されなくなると、対向装置エラーレート監視部２０により取得された対向装置のエラーレートが最小になるように、伝送路１（または、伝送路２）における分散量の微調整を行う。
なお、対向装置エラーレート監視部２０及び分散補償器４２から分散量調整手段が構成されている。
【００５３】
光入力断検出部４３はＯ／Ｅ変換部１１から出力される電気信号を監視して、Ｏ／Ｅ変換部１１により受信される光信号の入力断を検出する処理を実施する。
また、光入力断検出部４３はＯ／Ｅ変換部１１から出力される電気信号を監視して、対向装置から送信される分散量調整要求パターンに対応する光信号の入力断を検出すると、分散量調整要求パターンの検出信号を分散補償器２１に出力し、対向装置から送信される分散量調整完了パターンに対応する光信号の入力断を検出すると、分散量調整完了パターンの検出信号をパターン生成部４１に出力する処理を実施する。
なお、Ｏ／Ｅ変換部１１及び光入力断検出部４３から光入力断検出手段と分散量調整要求受信手段が構成されている。
【００５４】
図５の例では、光通信装置の構成要素であるＯ／Ｅ変換部１１、フレーム終端部１２、  光入力断検出部４３、フレームロス検出部１４、パターン生成部４１、Ｅ／Ｏ変換部１６、自装置エラーレート監視部１７、エラーレート挿入制御部１８、フレームレート生成部１９、対向装置エラーレート監視部２０及び分散補償器４２のそれぞれが専用のハードウェア（例えば、ＣＰＵを実装している半導体集積回路、あるいは、ワンチップマイコンなど）で構成されているものを想定しているが、光通信装置がコンピュータなどで構成される場合には、Ｏ／Ｅ変換部１１、フレーム終端部１２、  光入力断検出部４３、フレームロス検出部１４、パターン生成部４１、Ｅ／Ｏ変換部１６、自装置エラーレート監視部１７、エラーレート挿入制御部１８、フレームレート生成部１９、対向装置エラーレート監視部２０及び分散補償器４２の処理内容を記述しているプログラムの全部又は一部をコンピュータのメモリに格納し、当該コンピュータのＣＰＵが当該メモリに格納されているプログラムを実行するようにしてもよい。
【００５５】
図５の光通信装置Ａ，Ｂでは、図１の光通信装置Ａ，Ｂにおける光入力断検出部１３、パターン生成部１５及び分散補償器２１の代わりに、光入力断検出部４３、パターン生成部４１及び分散補償器４２が搭載されている例を示しているが、図３の光通信装置Ａ，Ｂにおける光入力断検出部１３、パターン生成部１５及び分散補償器２１の代わりに、光入力断検出部４３、パターン生成部４１及び分散補償器４２が搭載されていてもよい。
【００５６】
次に動作について説明する。
光通信装置Ａの分散補償器４２による伝送路１の分散量の調整方法と、光通信装置Ｂの分散補償器４２による伝送路２の分散量の調整方法は同様であるため、以下、伝送路１の分散量の調整方法を説明する。
光通信装置ＢのＯ／Ｅ変換部１１は、上記実施の形態１と同様に、光通信装置Ａから送信された光信号を受信して、その光信号を電気信号に変換する。
光通信装置Ｂのフレーム終端部１２は、Ｏ／Ｅ変換部１１が光信号を電気信号に変換すると、その電気信号からデータフレーム（光通信装置Ａのフレーム生成部１９により生成されたデータフレーム）を終端する。
【００５７】
光通信装置Ｂのフレームロス検出部１４は、上記実施の形態１と同様に、フレーム終端部１２により終端されたデータフレームを監視して、データフレームのフレームロスの検出処理を実施するが、光通信装置Ａの分散補償器４２が付加する分散値が適正な値ではなく、光通信装置Ａと光通信装置Ｂの間で、導通が確立していない状態では、そのデータフレームのフレームロスを検出する。
この実施の形態３では、説明の便宜上、導通が確立しておらず、フレームロス検出部１４がデータフレームのフレームロスを検出するものとして、以下の説明を行う。
【００５８】
光通信装置Ｂのパターン生成部４１は、図１のパターン生成部１５と同様に、光入力断検出部４３による光信号の入力断が未検出の状態（光通信装置Ａと光通信装置Ｂの間に伝送路２が接続されている状態）で、フレームロス検出部１４によりフレームロスが検出された場合、分散量調整要求パターン（図２（ａ）を参照）を生成し、その分散量調整要求パターンをＥ／Ｏ変換部１６に出力する。
ただし、パターン生成部４１は、図１のパターン生成部１５と異なり、その分散量調整要求パターンを１回だけＥ／Ｏ変換部１６に出力する。
【００５９】
光通信装置ＢのＥ／Ｏ変換部１６は、パターン生成部４１から分散量調整要求パターンを受けると、上記実施の形態１と同様に、その分散量調整要求パターンにしたがって光のＯＮ／ＯＦＦを行うことで、その分散量調整要求パターンに対応する光信号を伝送路２に出力する。
即ち、Ｅ／Ｏ変換部１６は、パターン生成部４１から出力された分散量調整要求パターンにしたがって、図２（ａ）に示すような強制光出力停止制御（ＳＨＵＴＤＯＷＮ制御）を実施することで、光のＯＮ／ＯＦＦを実行する。
【００６０】
光通信装置ＡのＯ／Ｅ変換部１１は、光通信装置Ｂから送信された光信号を受信して、その光信号を電気信号に変換する。
光通信装置Ａの光入力断検出部４３は、図１の光入力断検出部１３と同様に、Ｏ／Ｅ変換部１１から出力される電気信号を監視して、光通信装置Ｂから送信される分散量調整要求パターンに対応する光信号の入力断（図２（ｃ）を参照）を検出すると、分散量調整要求パターンの検出信号を分散補償器４２に出力する。
【００６１】
光通信装置Ａの分散補償器４２は、光入力断検出部４３から分散量調整要求パターンの検出信号を受けると、伝送路１における分散量の粗調整を開始して、伝送路１に与える分散値を１回だけ変更する。
例えば、分散可能範囲（例えば、２００〜３００ｐｓ／ｎｍ）内で、伝送路１に与える分散値を１回だけ変更することで、伝送路１における分散量の粗調整を行う。
【００６２】
光通信装置Ａのパターン生成部４１は、分散補償器４２が伝送路１における分散量の粗調整を１回行うと、分散量調整完了パターンをＥ／Ｏ変換部１６に出力する。
光通信装置ＡのＥ／Ｏ変換部１６は、パターン生成部４１から分散量調整完了パターンを受けると、その分散量調整完了パターンにしたがって光のＯＮ／ＯＦＦを行うことで、その分散量調整完了パターンに対応する光信号を伝送路１に出力する。
【００６３】
光通信装置ＢのＯ／Ｅ変換部１１は、光通信装置Ａから送信された光信号を受信して、その光信号を電気信号に変換する。
光通信装置Ｂの光入力断検出部４３は、Ｏ／Ｅ変換部１１から出力される電気信号を監視して、光通信装置Ａから送信される分散量調整完了パターンに対応する光信号の入力断を検出すると、分散量調整完了パターンの検出信号をパターン生成部４１に出力する。
【００６４】
光通信装置Ｂのフレームロス検出部１４は、データフレームのフレームロスの検出処理を継続しており、光通信装置Ａの分散補償器４２が分散量の粗調整を行って、その分散量が概ね適正な値になることで、光通信装置Ａと光通信装置Ｂ間の導通が確立すると、フレームロスの検出状況が“未検出”に変化する。
ただし、この段階では、説明の便宜上、フレームロスの検出が継続しているものとして、以下の説明を行う。
【００６５】
光通信装置Ｂのパターン生成部４１は、光入力断検出部４３から分散量調整完了パターンの検出信号を受けると、その時点でフレームロスの検出が継続していれば、再度、分散量調整要求パターン（図２（ａ）を参照）をＥ／Ｏ変換部１６に出力する。
光通信装置ＢのＥ／Ｏ変換部１６は、パターン生成部４１から分散量調整要求パターンを受けると、その分散量調整要求パターンにしたがって光のＯＮ／ＯＦＦを行うことで、その分散量調整要求パターンに対応する光信号を伝送路２に出力する。
【００６６】
光通信装置ＡのＯ／Ｅ変換部１１は、光通信装置Ｂから送信された光信号を受信して、その光信号を電気信号に変換する。
光通信装置Ａの光入力断検出部４３は、Ｏ／Ｅ変換部１１から出力される電気信号の監視を継続しており、光通信装置Ｂから送信される分散量調整要求パターンに対応する光信号の入力断（図２（ｃ）を参照）を検出すると、分散量調整要求パターンの検出信号を分散補償器４２に出力する。
【００６７】
光通信装置Ａの分散補償器４２は、光入力断検出部４３から分散量調整要求パターンの検出信号を受けると、再度、伝送路１に与える分散値を１回だけ変更する。
光通信装置Ａのパターン生成部４１は、分散補償器４２が伝送路１における分散量の粗調整を１回行うと、分散量調整完了パターンをＥ／Ｏ変換部１６に出力する。
光通信装置ＡのＥ／Ｏ変換部１６は、パターン生成部４１から分散量調整完了パターンを受けると、その分散量調整完了パターンにしたがって光のＯＮ／ＯＦＦを行うことで、その分散量調整完了パターンに対応する光信号を伝送路１に出力する。
【００６８】
光通信装置ＢのＯ／Ｅ変換部１１は、光通信装置Ａから送信された光信号を受信して、その光信号を電気信号に変換する。
光通信装置Ｂの光入力断検出部４３は、Ｏ／Ｅ変換部１１から出力される電気信号の監視を継続しており、光通信装置Ａから送信される分散量調整完了パターンに対応する光信号の入力断を検出すると、分散量調整完了パターンの検出信号をパターン生成部４１に出力する。
【００６９】
光通信装置Ｂのフレームロス検出部１４は、データフレームのフレームロスの検出処理を継続しており、光通信装置Ａの分散補償器４２が分散量の粗調整を行って、その分散量が概ね適正な値になることで、光通信装置Ａと光通信装置Ｂ間の導通が確立すると、フレームロスの検出状況が“未検出”に変化する。
この段階では、説明の便宜上、フレームロスの検出状況が“未検出”に変化しているものとする。
【００７０】
光通信装置Ｂのパターン生成部４１は、光入力断検出部４３から分散量調整完了パターンの検出信号を受けた時点で、既に、フレームロス検出部１４によるフレームロスの検出状況が“未検出”に変化していれば、Ｅ／Ｏ変換部１６に対する分散量調整要求パターンの出力を行わない。
光通信装置ＢのＥ／Ｏ変換部１６は、パターン生成部４１から分散量調整要求パターンが出力されない場合、出力レベルが発光状態になる。
【００７１】
光通信装置Ａの光入力断検出部４３は、Ｏ／Ｅ変換部１１から出力される電気信号の監視を継続しており、光通信装置ＢのＥ／Ｏ変換部１６の出力レベルが発光状態である場合、分散量調整要求パターンに対応する光信号の入力断の検出状況が“未検出”に変化する。
光通信装置Ａの分散補償器４２は、光入力断検出部１３における検出状況が“未検出”に変化することで、光入力断検出部４３から分散量調整要求パターンの検出信号を受けなくなると、分散量の粗調整を終了する。
ただし、分散量の粗調整を終了しても、伝送路１の分散量が最適に調整されたわけではないので、分散量の微調整を開始する。
【００７２】
伝送路１における分散量の微調整に関する処理内容は、上記実施の形態１と同様であるため詳細な説明を省略する。
この実施の形態３では、光通信装置Ａが伝送路１の分散量を調整するものを示したが、伝送路２の分散量を調整する場合、光通信装置Ａと光通信装置Ｂの処理内容が逆になるだけで同じである。
光通信装置Ａ，Ｂが伝送路１，２の分散量を調整することで、エラーレートの最小化を図ることができる。
【００７３】
上記実施の形態１，２では、フレームロスが未検出の状態になるまでの間、分散量調整要求パターンの光信号を繰り返し送信しているため、分散補償器２１が伝送路の分散量を最適な値に調整しても、フレームロスが未検出の状態を検知する前に、分散量調整要求パターンの光信号を既に送信してしまっている場合があり、この場合には、伝送路の分散量が最適な値からずれてしまう可能性がある。
これに対して、この実施の形態３では、分散量調整要求パターンの光信号を繰り返し送信しないで、分散補償器２１が伝送路の分散量を１回だけ調整したのち、フレームロスの検出が継続している場合に限り、再度、分散量調整要求パターンの光信号を送信するようにしているので、伝送路の分散量が最適な値からずれてしまう状況の発生を回避することができる効果を奏する。
【００７４】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００７５】
この発明に係る光通信装置は、例えば、ネットワークの通信速度が高速化されている光ファイバ通信システムに適用することが可能である。
【符号の説明】
【００７６】
Ａ，Ｂ  光通信装置、１，２  伝送路、１１  Ｏ／Ｅ変換部（光信号受信手段、光入力断検出手段、分散量調整要求受信手段）、１２  フレーム終端部（フレームロス検出手段）、１３  光入力断検出部（光入力断検出手段、分散量調整要求受信手段）、１４  フレームロス検出部（フレームロス検出手段）、１５  パターン生成部（分散量調整要求送信手段）、１６  Ｅ／Ｏ変換部（分散量調整要求送信手段、調整完了通知手段）、１７  自装置エラーレート監視部、１８  エラーレート挿入制御部、１９  フレームレート生成部、２０  対向装置エラーレート監視部（分散量調整手段）、２１  分散補償器（分散量調整手段）、３１  パターン生成部（分散量調整要求送信手段）、３２  光減衰器（分散量調整要求送信手段）、３３  レベルモニタ（光入力断検出手段、分散量調整要求受信手段）、４１  パターン生成部（分散量調整要求送信手段、調整完了通知手段）、４２  分散補償器（分散量調整手段）、４３  光入力断検出部（光入力断検出手段、分散量調整要求受信手段）。
【図１】
2012085979.tif 000003
【図２】
2012085979.tif 000004
【図３】
2012085979.tif 000005
【図４】
2012085979.tif 000006
【図５】
2012085979.tif 000007
【図６】
2012085979.tif 000008
【手続補正書】
【提出日】平成25年7月18日(2013.7.18)
【手続補正１】
【補正対象書類名】明細書
【補正対象項目名】００１０
【補正方法】変更
【補正の内容】
【００１０】
この発明に係る光通信装置は、対向装置から送信される光信号を受信する光信号受信手段と、光信号受信手段により受信された光信号が示すデータフレームのフレームロスを検出するフレームロス検出手段と、フレームロス検出手段によりフレームロスが検出された場合、そのフレームロスが未検出の状態になるまでの間、データフレームの光信号を送信する際のビットレートより低速なビットレートで、分散量の調整を要求する分散量調整要求光信号を対向装置に送信する分散量調整要求送信手段と、対向装置から送信された分散量調整要求光信号を受信する分散量調整要求受信手段とを設け、分散量調整要求受信手段により分散量調整要求光信号が受信された場合、分散量調整手段が、対向装置との間の伝送路の分散量を対向装置からの受信情報を用いずに粗調整するようにしたものである。
【手続補正２】
【補正対象書類名】特許請求の範囲
【補正対象項目名】全文
【補正方法】変更
【補正の内容】
【特許請求の範囲】
【請求項１】
対向装置から送信される光信号を受信する光信号受信手段と、上記光信号受信手段により受信された光信号が示すデータフレームのフレームロスを検出するフレームロス検出手段と、上記フレームロス検出手段によりフレームロスが検出された場合、上記フレームロスが未検出の状態になるまでの間、データフレームの光信号を送信する際のビットレートより低速なビットレートで、分散量の調整を要求する分散量調整要求光信号を上記対向装置に送信する分散量調整要求送信手段と、上記対向装置から送信された前記分散量調整要求光信号を受信する分散量調整要求受信手段と、上記分散量調整要求受信手段により前記分散量調整要求光信号が受信された場合、上記対向装置との間の伝送路の分散量を当該対向装置からの受信情報を用いずに粗調整する分散量調整手段とを備えた光通信装置。
【請求項２】
分散量調整手段は、分散量調整要求受信手段により前記分散量調整要求光信号が受信されると、伝送路における分散量の前記粗調整を開始し、上記分散量調整要求光信号が受信されなくなると、上記伝送路における分散量の微調整を行って、上記対向装置のエラーレートの最小化を図ることを特徴とする請求項１記載の光通信装置。
【請求項３】
分散量調整要求送信手段は、データフレームの光信号を送信する際のビットレートの４分の１以下のビットレートで、前記分散量調整要求光信号を送信することを特徴とする請求項１記載の光通信装置。
【請求項４】
分散量調整要求送信手段は、分散量の調整要求を示す特定パターンにしたがって、送信する光信号の信号レベルを調整することにより、前記分散量調整要求光信号を送信することを特徴とする請求項１記載の光通信装置。
【請求項５】
対向装置から送信される光信号を受信する光信号受信手段と、上記光信号受信手段により受信された光信号が示すデータフレームのフレームロスを検出するフレームロス検出手段と、上記フレームロス検出手段によりフレームロスが検出された場合、データフレームの光信号を送信する際のビットレートより低速なビットレートで、分散量の調整を要求する分散量調整要求光信号を上記対向装置に送信する分散量調整要求送信手段と、上記対向装置から送信された前記分散量調整要求光信号を受信する分散量調整要求受信手段と、上記分散量調整要求受信手段により前記分散量調整要求光信号が受信された場合、上記対向装置との間の伝送路の分散量を当該対向装置からの受信情報を用いずに粗調整する分散量調整手段と、上記分散量調整手段により伝送路の分散量が前記粗調整された後、分散量の粗調整完了を示す光信号を上記対向装置に送信する調整完了通知手段とを備え、
上記分散量調整要求送信手段は、上記対向装置から送信された分散量の粗調整完了を示す光信号を受信した段階で、上記フレームロスの検出が継続している場合、再度、前記分散量調整要求光信号を上記対向装置に送信することを特徴とする光通信装置。
【請求項６】
分散量調整要求送信手段は、分散量の調整要求を示す特定パターンにしたがって、送信する光信号のＯＮ／ＯＦＦを実行することにより、前記分散量調整要求光信号を送信することを特徴とする請求項１または請求項５記載の光通信装置。
【国際調査報告】
2012085979.tif 000009
2012085979.tif 000010